(57)【要約】【課題】  使用済みの管路を有する医療器具の特に当該管路を衛生的、かつ効率的に確実な洗滌消毒が行えると共に、それに伴う煩雑な作業を低減する管路を有する医療器具を洗滌消毒する装置、及びブラッシング装置を実現すること。【解決手段】  本発明の管路を有する医療器具２０を洗滌消毒する装置１は、医療器具が載置される載置体１０と、この載置体を配置する洗滌槽５を提供する槽体３と、載置体に載置され、且つ洗滌槽に配置された医療器具の少なくとも管路を洗滌する洗滌手段と、槽体に着脱自在に配置され、且つ洗滌手段による管路の洗滌時にこの管路をブラッシングするブラシを備えたブラッシング手段８５と、を備えた。【選択図】      図９
2007152089.tif 000002
【特許請求の範囲】
【請求項１】
医療器具が載置される載置体と、
該載置体を配置する洗滌槽を提供する槽体と、
前記載置体に載置され、且つ前記洗滌槽に配置された前記医療器具の少なくとも前記管路を洗滌する洗滌手段と、
前記槽体に着脱自在に配置され、且つ前記洗滌手段による前記管路の洗滌時に該管路をブラッシングするブラシを備えたブラッシング手段と、
を備えたことを特徴とする管路を有する医療器具を洗滌消毒する装置。
【請求項２】
前記医療器具は、前記管路を有し、且つ被検体内に挿入される挿入部を有する内視鏡であることを特徴とする請求項１に記載の管路を有する医療器具を洗滌消毒する装置。
【請求項３】
前記洗滌手段は、前記医療器具の外表面を洗滌、及び消毒する第１の洗滌消毒手段と、前記医療器具の前記管路の内部を洗滌及び消毒する第２の洗滌消毒手段と、を備え、
前記ブラシは、前記第２の洗滌消毒手段が前記管路の内部を洗滌するときに当該管路の内部に沿って進退させるように構成されていることを特徴とする請求項１に記載の管路を有する医療器具を洗滌消毒する装置。
【請求項４】
前記載置体は、前記医療器具を所定形状のまま載置させる溝状の流路を有し、
前記第１の洗滌消毒手段は、前記流路に沿って前記医療器具を載置した状態で当該溝部に洗滌液、消毒液、及びすすぎ用の水を流通させる第１の液流通手段を有することを特徴とする請求項３に記載の管路を有する医療器具を洗滌消毒する装置。
【請求項５】
前記第２の洗滌消毒手段は、
前記医療器具の前記管路の開口にノズルを着脱自在に結合させるノズル結合器と、
前記ノズルを介して前記管路に少なくとも洗滌液、消毒液、及びすすぎ用の水を流
通させる第２の液流通手段と、を備え、
更に、
前記ブラシを前記管路に沿って進退駆動させる駆動部と、
前記第２の液流通手段により前記管路に前記洗滌液を流通させるときに、前記ノズルを介して前記ブラシを前記管路に挿入させると共に、その管路に挿入された当該ブラシを当該管路の全長に亘って進退移動させるように前記駆動部を制御する制御部と、
を備えることを特徴とする請求項４に記載の管路を有する医療器具を洗滌消毒する装置。
【請求項６】
前記ブラッシング手段は、
前記水を流入させる流入口と当該水を前記ノズルに流出させる流出口とを連通する流路と、
前記洗滌液及び前記消毒液の少なくとも一方を貯留したタンクと、
当該ブラッシング手段が前記ノズル結合器に装着されたときに前記タンク内の前記液を当該タンクから前記流路に自動的に流出させる流出させる機構と、
前記突き破り手段により突き破られた前記タンクから流出する前記液を前記流路に
導く連通路と、
を備えることを特徴とする請求項５に記載の管路を有する医療器具を洗滌消毒する装置。
【請求項７】
管路を有する医療器具を洗滌消毒するブラッシング装置であって、
当該装置の前記管路への進入路を提供する着脱部に着脱自在に装着可能な着脱部と、
前記進入路に連通する流路と、
この流路内に置かれ、且つ前記管路の洗滌時に前記進入路から当該管路に進んで当該管路をブラッシングするブラシを備えた着脱式のブラッシング手段と、
を備えたブラッシング装置。
【請求項８】
前記管路の洗滌及び消毒に必要な洗滌液、及び消毒液の少なくとも一方を貯留したタンクと、
このタンクに貯留した液体を前記流路に導く連通路と、
を備えることを特徴とする請求項７に記載の管路を有するブラッシング装置。
【発明の詳細な説明】
【技術分野】
【０００１】
本発明は、使用済みの管路を有する医療器具を洗滌、及び消毒する装置、及びブラッシング装置に関する。
【背景技術】
【０００２】
体腔内の検査や治療の目的に使用される内視鏡は、体腔内に挿入される挿入部の外表面だけでなく、挿入部内に設けられている鉗子チャンネルを兼ねる吸引管路等の各内視鏡管路（チャンネル）内に体液、汚物などが付着する。そのため、内視鏡は、使用後、挿入部の外表面、及び内視鏡管路を充分に洗滌、消毒する必要がある。
【０００３】
例えば、特許文献１には、内視鏡を洗滌するための内視鏡洗滌器が開示されている。この内視鏡洗滌器は、内視鏡管路の洗滌するために、洗滌ブラシを内視鏡管路の奥部向かって導入するためのブラシ挿入管を備えている。
【特許文献１】特開平１１−７６１４５号公報
【発明の開示】
【発明が解決しようとする課題】
【０００４】
しかしながら、特許文献１の内視鏡の洗浄器では、内視鏡管路を充分に洗滌するための長い洗滌ブラシをブラシ挿入管に挿入し、内視鏡管路に対して、人手により進退の反復操作する必要があり、ユーザにとっては、非常に面倒で、手間の掛かる煩雑な作業を強いられるという問題がある。また、ユーザにとっては、洗滌ブラシの交換の際に、使用済みの廃棄する長い洗滌ブラシをコンパクトに纏める作業も非常に手間が掛かるという問題がある。
【０００５】
よって、本発明は上述した問題に鑑みてなされたものであり、使用済みの管路を有する医療器具の特に当該管路を衛生的、かつ効率的に確実な洗滌消毒が行えると共に、それに伴う煩雑な作業を低減する管路を有する医療器具を洗滌消毒する装置、及びブラッシング装置を提供することを目的にしている。
【課題を解決するための手段】
【０００６】
本発明の管路を有する医療器具を洗滌消毒する装置は、医療器具が載置される載置体と、該載置体を配置する洗滌槽を提供する槽体と、前記載置体に載置され、且つ前記洗滌槽に配置された前記医療器具の少なくとも前記管路を洗滌する洗滌手段と、前記槽体に着脱自在に配置され、且つ前記洗滌手段による前記管路の洗滌時に該管路をブラッシングするブラシを備えたブラッシング手段と、を備えた。
【０００７】
また、本発明のブラッシング装置は、管路を有する医療器具を洗滌消毒し、前記管路への進入路を提供する着脱部に着脱自在に装着可能な着脱部と、前記進入路に連通する流路と、この流路内に置かれ、且つ前記管路の洗滌時に前記進入路から当該管路に進んで当該管路をブラッシングするブラシを備えた着脱式のブラッシング手段と、を備えた。
【発明の効果】
【０００８】
本発明によれば、使用済みの管路を有する医療器具の特に当該管路を衛生的、かつ効率的に確実な洗滌消毒が行えると共に、それに伴う煩雑な作業を低減する管路を有する医療器具を洗滌消毒する装置、及びブラッシング装置を実現することができる。
【発明を実施するための最良の形態】
【０００９】
以下、図面を参照して、本発明の管路を有する医療器具を洗滌消毒する装置、及びブラッシング装置に係る実施の形態について説明する。  
（第１の実施の形態）
図１から図１３は本発明の第１の実施の形態に係り、図１は一部上面図を含むトップカバーが開いた状態の内視鏡洗滌消毒装置を含む内視鏡洗滌消毒システムの構成を説明する斜視図、図２は内視鏡が洗滌槽内に収容されてトップカバーが閉じた状態の内視鏡洗滌消毒装置を説明する斜視図、図３は内視鏡洗滌消毒装置の概略的な管路構成を示す図、図４は洗滌ノズル着脱機構部の構成を示す上面図、図５は洗滌ブラシユニットを示す斜視図、図６は洗滌ブラシユニットの上面図、図７は洗滌ブラシユニットの断面図、図８は洗滌ブラシユニットが洗滌ノズル着脱機構部に設置される前の状態を示す内視鏡洗滌消毒装置の部分的な上面図、図９は洗滌ブラシユニットが洗滌ノズル着脱機構部に設置される状態を説明する断面図、図１０は洗滌ブラシユニットが洗滌ノズル着脱機構部に設置された状態を示す内視鏡洗滌消毒装置の部分的な上面図、図１１は内視鏡が内視鏡洗滌消毒装置に設置された内視鏡洗滌消毒システムの上面図、図１２、及び図１３は洗滌ブラシユニットが設置された洗滌ノズル着脱機構部の動作を説明するための図である。
【００１０】
図１から図３に示すように本実施形態の内視鏡洗滌消毒システム１を構成する１つである医療器具を洗滌消毒する装置であって、ブラッシング装置を兼ねる内視鏡洗滌消毒装置２は、装置本体３と、トップカバー４と備えている。槽体である装置本体３の上部には、所定の深さを備えた槽体である洗滌槽５が備えられ、トップカバー４は該洗滌槽５の開口を塞ぐように設けられている。
【００１１】
洗滌槽５の所定位置にはトレー保持部材６が回動自在に設けられている。トレー保持部材６には、内視鏡載置部を構成する載置体である内視鏡保持トレー１０が着脱自在に配置される。洗滌槽５の底面所定位置には第１開閉突起７ａ、及び第２開閉突起７ｂが設けられている。
【００１２】
そして、第１開閉突起７ａ近傍には、給水口１６ｃが設けられ、第２開閉突起７ｂ近傍には洗滌槽５内の洗滌液、消毒液、或いは濯ぎ水を装置本体３内の管路網に供給する液供給源である排水口１７ｃが設けられている。給水口１６ｃからは、洗滌槽５、及び保持トレー内に洗滌液や濯ぎ水が供給される。排水口１７ｃからは給水口１６ｃから供給された液体が洗滌槽５外に排出される。  
装置本体３の正面には、各種入力操作、及び文字などの表示が可能な操作パネル８が設けられている。
【００１３】
トップカバー４は硬質で光透過性を有する樹脂部材、いわゆる透明樹脂部材若しくは半透明樹脂部材で所定形状に形成されている。このトップカバー４は、洗滌槽５の所定位置に開閉自在に設けられている。従って、ユーザは、洗滌槽５の開口をトップカバー４で閉塞した状態において、該トップカバー４を通して洗滌槽５内の目視観察が可能である。
【００１４】
なお、本実施形態の内視鏡洗滌消毒装置２では、後述する内視鏡の他に開口部を有する処置具やオーバーチューブ等の医療器具が洗滌消毒可能である。その際、各医療器具は、専用の保持トレーに収納される。
【００１５】
医療器具である内視鏡は、専用の保持トレーである上述の内視鏡保持トレー１０に収納されて洗滌槽５内に収容される。また、図中の一点鎖線楕円内の符号３１、３２、３３は内視鏡の各種管路内を洗滌するための接続部材である管路洗滌用ノズルである。これら管路洗滌用ノズル３１、３２、３３は装置本体３の内部に配設された後述する洗滌ノズル着脱機構部３０を構成している。洗滌ノズル着脱機構部３０には、内視鏡洗滌消毒装置２の上面に露出する連結面に着脱自在な洗滌ブラシユニット８５が設置されている。また、内視鏡洗滌消毒装置２の上面角部には、設置される洗滌ブラシユニット８５を覆う開閉自在なブラシユニットカバー８３が設けられている。
【００１６】
内視鏡洗滌消毒システム１は、内視鏡洗滌消毒装置２と、装置本体３と、内視鏡保持トレー（以下、トレーと略記する）１０と、医療器具である内視鏡２０とで構成される。内視鏡洗滌消毒装置２に備えられるトレー保持部材６の保持部６ａには二点鎖線に示すようにトレー１０が配置される。トレー１０には、内視鏡２０が収納配置される。
【００１７】
内視鏡２０は、基部２１と、この基部２１から延出する可撓性を有する挿入部２２とを有して構成されている。基部２１には、送気送水管路配設部２３と吸引管路配設部２４とが所定の距離に離間して、かつ長手軸方向基端側に向かって斜めに突出して設けられている。
【００１８】
送気送水管路配設部２３の送気送水接続口２３ａには、送気管路の端部が連結される送気用の連結部材、及び送水管路の端部が連結される送水用の連結部材がそれぞれ配設される。一方、吸引管路配設部２４には、内視鏡チャンネルを構成する吸引管路２２ａだけが配設されており、該吸引管路配設部２４の吸引用接続口２４ａには吸引管路２２ａの端部が連結される吸引用の連結部材が配設される。
【００１９】
なお、内視鏡検査中において、送気送水接続口２３ａには内視鏡２０に水や空気等の流体を供給するための送気送水チューブ（不図示）が接続され、吸引用接続口２４ａには内視鏡２０から吸引される吸引チューブ（不図示）が接続される。
【００２０】
また、基部２１は内視鏡２０を操作する際に把持する把持部として使用され、また、内視鏡２０をアーム等に固定する場合にはこの基部が固定部として使用される。
【００２１】
トレー１０の上面側には内視鏡２０を所定の位置に収納配置させるガイド溝である収納凹部１１が設けられている。収納凹部１１の形状は、収納される内視鏡２０の基部２１、及び挿入部２２の外形形状、及び長さ寸法等を考慮して所定形状に形作られる。つまり、トレー１０は所定の内視鏡２０が収納される収納凹部１１を備えた専用タイプとして構成される。また、基部２１、及び挿入部２２の外形形状、及び長さ寸法の異なる、複数種類の内視鏡を備える医療施設においては、各種類の内視鏡に対応する複数のトレー１０を用意しても良い。
【００２２】
具体的に、収納凹部１１には内視鏡２０の基部２１が配設される操作部収納部１２と、内視鏡２０の挿入部２２が配設される溝状の流路を構成する挿入部収納部１３とが設けられている。操作部収納部１２には内視鏡２０の送気送水管路配設部２３、及び吸引管路配設部２４が配設される送気送水管路配設部受け部１４、吸引管路配設部受け部１５が設けられている。送気送水管路配設部受け部１４には送気送水接続口２３ａが配設される送気送水管路用開口１４ａが設けられている。一方、吸引管路配設部受け部１５には吸引用接続口２４ａが配設される吸引管路用開口１５ａが設けられている。
【００２３】
操作部収納部１２の底面所定位置には洗滌水や消毒水等を給排水するための第１給排水口１６が設けられている。挿入部収納部１３の底面所定位置には洗滌水や消毒水等を給排水するための第２給排水口１７が設けられている。第１給排水口１６は内視鏡２０の基部２１の基端側近傍に位置するように設けられている。第２給排水口１７は内視鏡２０の挿入部２２の先端面側近傍に位置するように設けられている。それぞれの給排水口１６、１７には開閉自在な蓋部材１６ａ、１７ａが設けられている。蓋部材１６ａ、１７ａは自重、又は、自重に加えて図示しない付勢部材の付勢力によって、給排水口１６、１７が常時、塞いだ状態に保持される構成になっている。
【００２４】
つまり、トレー１０はトレー単体の状態において、蓋部材１６ａ、１７ａが閉じた状態である。したがって、使用済みの内視鏡２０をトレー１０の収納凹部１１に収納配置させた状態のとき、内視鏡２０に付着している汚物や体液等が給排水口１６、１７から漏出されることが防止される。このため、内視鏡２０をトレー１０の収納凹部１１内に収納した状態において、内視鏡２０の運搬を衛生的に行える。
【００２５】
本実施形態においては、第１給排水口１６から収納凹部１１に洗滌液、消毒液等が送り込まれる。これに対して、第２給排水口１７からは、収納凹部１１内に送り込まれた洗滌液や消毒液等が洗滌槽５内に向けて排出される。第１給排水口１６から収納凹部１１に洗滌液や消毒液等を送り込んだとき、収納された内視鏡２０の基部２１、及び挿入部２２の外表面等に、消毒液等が充分に行き渡るように収納凹部１１が形作られている。したがって、消毒液等を収納凹部１１に送り込んだとき、内視鏡２０と収納凹部１１との間に無駄な空間が形成されていないので少量の消毒薬による消毒を行うことができる。
【００２６】
なお、符号１８は取付部である。取付部１８はトレー１０の長辺側一側部に設けられている。取付部１８の形状は、トレー保持部材６を構成する保持部６ａの内部形状に合わせて、例えばＵ字状に形成される。符号１９は搬送用把持部である。搬送用把持部１９はトレー１０の短辺側両側部にそれぞれ設けられている。搬送用把持部１９は、トップカバー４と干渉することを防止するため、トレー１０の下面側に突出するように形作られている。
【００２７】
トレー１０の収納凹部１１に内視鏡２０を収納配置させるとき、基部２１に設けられている送気送水管路配設部２３の送気送水接続口２３ａ、及び吸引管路配設部２４の吸引用接続口２４ａを、送気送水管路配設部受け部１４に形成されている送気送水管路用開口１４ａ、及び吸引管路配設部受け部１５に形成されている吸引管路用開口１５ａに係入配置させる。このことによって、使用後の内視鏡２０をトレー１０の収納凹部１１内に所望の状態に容易に収納配置することができる。
【００２８】
内視鏡２０を収納凹部１１に収納後、トレー１０を、図２に示すようにトレー保持部材６に配置する。このとき、トレー１０の取付部１８がトレー保持部材６の保持部６ａに所定の状態に配設されていた場合、トレー保持部材６は手動、又は自動で所定方向に移動される。そして、トレー保持部材６の移動に伴って、該トレー保持部材６に配置されたトレー１０が洗滌槽５内の所定位置に収容される。
【００２９】
このとき、洗滌槽５の底面に突設されている第１開閉突起７ａが蓋部材１６ａを押し上げて第１給排水口１６を開放状態にするとともに、第２開閉突起７ｂが蓋部材１７ａを押し上げて第２給排水口１７を開放状態にする。また、図４に示すようにトレー１０の収納凹部１１の送気送水管路用開口１４ａ、及び吸引管路用開口１５ａからそれぞれ突出して配設されている内視鏡２０の送気送水接続口２３ａ、及び吸引用接続口２４ａと、送気管路洗滌用ノズル３１、送水管路洗滌用ノズル、及び吸引管路洗滌用ノズル３３とが所定距離離れて所定の対向した位置関係になる。
【００３０】
この後、トップカバー４が手動、又は自動で所定方向に移動されて、図２に示すように洗滌槽５の開口を塞ぐ。  
なお、洗滌槽５の開口側上面の所定位置には洗滌槽５を囲むようにパッキン５ａが設けられている。このため、トップカバー４で洗滌槽５の開口を閉塞状態にしたとき、トップカバー４の一面側にパッキン５ａが密着して水密が保持される。このことによって、洗滌消毒中において、洗滌槽５内の液体が装置本体３の外部に飛散することが防止される。符号４ａはヒンジ部材であり、トップカバー４を洗滌槽５に開閉自在に固定している。
【００３１】
次に、図３に基づいて、内視鏡洗滌消毒装置２の内部管路構成について説明する。  
図３に示すように、内視鏡洗滌消毒装置２の装置本体３は、水道栓に接続される給水管路４２により、装置内へ水道水が流入される。この給水管路４２には、水道栓側から順に、水フィルタ４１、逆支弁４３、及び２つの３方切替弁４４，４５が介装されている。給水管路４２は、３方切替弁４５から２つの管路４６，４７に分岐している。
【００３２】
管路４６は、洗滌液供給源である洗滌剤ボトル４８に連通しており、一方の管路４７は消毒液供給源である薬液ボトル４９に連通している。これら各ボトル４８，４９からは、洗滌剤ボトル４８に連通する洗滌剤供給管路５０、或いは薬液ボトル４９に連通する薬液供給管路５１により、攪拌槽５２へ洗滌剤、或いは消毒液が流入される。
【００３３】
つまり、水道栓からの水道水は、先ず、水フィルタ４１により、濾過される。そして、この水道水は、給水管路４２を介して、管路４６、４７を通って、洗滌剤ボトル４８、或いは薬液ボトル４９に流れる。その後、各ボトル４８，４９内の洗滌剤、或いは消毒液は、この水道水により希釈され、所定濃度の洗滌液、或いは消毒液の溶液供給源となる溶液となって、洗滌剤供給管路５０、或いは薬液供給管路５１を介して、攪拌槽５２へ流れる。
【００３４】
尚、３方切替弁４４，４５は、洗滌工程、消毒工程、或いは濯ぎ工程に対応した所定の方向へ内部の弁が、制御手段である制御部２６によって自動に切り替えられる。濯ぎ工程のときには、３方切替弁４４が給水管路４２と循環管路５７とが連通する方向に切り替えられる。そのため、水道水は、水道栓から循環管路５７側へ流れ、内視鏡２０の外表面、及び各種内視鏡管路が濯がれる。
【００３５】
攪拌槽５２は、送液管路５３の一端と接続されている。この送液管路５３は、循環管路５７と他端が３方切替弁５６を介して接続されており、攪拌槽５２側と３方切替弁５６の近傍の両端部に逆支弁５４，５５が介装されている。
【００３６】
循環管路５７は、洗滌槽５の給水口１６ｃ、及び排水口１７ｃの夫々に端部が接続されている。この循環管路５７には、３方切替弁５６が介装された部分よりも給水口１６ｃ側に順に循環ポンプ５８、及び２つの３方切替弁５９、６０が設けられている。
【００３７】
３方切替弁６０は、チャンネル管路６２の一端が接続されている。このチャンネル管路６２の他端は、２つ経路に分岐して、洗滌ノズル着脱機構部３０に接続されている。
【００３８】
循環ポンプ５８が制御部２６の制御下で駆動されると、攪拌槽５２に貯留されている洗浄液、或いは消毒液の溶液は、送液管路５３から３方切替弁５６を介して、循環管路５７に流れる。そして、この溶液は、３方切替弁６０を介して、制御部２６の制御下で選択的に給水口１６ｃ、及びチャンネル管路６２へ流れ、内視鏡２０の外表面、及び各種内視鏡管路を洗滌、或いは消毒して、洗滌槽５に貯留される。
【００３９】
また、循環管路５７には、排水口１７ｃと３方切替弁５６の間に、排水口１７ｃから順に、３方切替弁７６、及び逆支弁７７が設けられている。この３方切替弁７６は、排水管路７５とも接続され、制御部２６の制御下で内部の弁が切り替えられる。従って、洗滌槽５内の溶液は、排水口１７ｃから循環管路５７の３方切替弁７６を介して、排水管路７５を通って、外部の排水口へ排出される。
【００４０】
尚、３方切替弁５９には、エア供給管路７４の一端が接続されている。このエア供給管路７４には、コンプレッサ７２、及びエアフィルタ７３が介装されている。このコンプレッサ７２からのエアは、制御部２６の制御下で洗滌消毒後の内視鏡２０の外表面、及び各種チャンネル内の水分を脱水するために、給水口１６ｃ、及び洗滌ノズル着脱機構部３０へ送気される。
【００４１】
また、洗滌ノズル着脱機構部３０には、その中途に、逆支弁６４、及び３方切替弁が介装された漏水検知管路６３の一端が接続されている。この漏水検知管路６３の他端は、漏水検知用コンプレッサ６６に接続されている。
【００４２】
３放切替弁６５は、アルコールタンク６８内に一端が連通している管路６７の他端が接続されている。このアルコールタンク６８には、アルコール管路６９の一端が接続されている。アルコール管路６９は、他端がチャンネル管路６２と接続され、逆支弁７０が介装されている。
【００４３】
つまり、漏水検知用コンプレッサ６６は、制御部２６の制御下で内視鏡２０の漏水を検知するときに漏水検知管路６３へエアを送気し、或いは内視鏡２０の各種チャンネルをアルコールフラッシュするときに、アルコールタンク６８内のアルコールをアルコール管路６９、及びチャンネル管路６２へ送る。
【００４４】
尚、洗滌槽５は、内部の異臭を消臭する脱臭フィルタ７１を介して外部と連通している。  
また、本実施の形態の内視鏡洗滌消毒装置２では、給水口１６ｃ、排水口１７ｃ、制御部２６、及び装置本体３に配設された管路網、ポンプ類、コンプレッサ類、タンク類、各弁、各フィルタなどの構成要素により、内視鏡を洗滌消毒するユニットである洗滌手段を構成する洗滌ユニットが構成されている。
【００４５】
次に、図４を参照して管路洗滌用ノズル３１、３２、３３を備える洗滌ノズル着脱機構部３０の構成を説明する。  
図４に示すようにノズル結合器である洗滌ノズル着脱機構部（以下、機構部と略記する）３０は、トレー１０の収納凹部１１に収納配置された内視鏡２０に設けられている各種内視鏡管路と連結された連結部材の開口部と、内視鏡洗滌消毒装置２に設けられている２つの管路洗滌用ノズルとを装着状態、或いはその装着状態を自動で解除するための機構である。
【００４６】
具体的には、一度の動作で、吸引用接続口２４ａ内に設けられている吸引管路２２ａの開口部と、内視鏡洗滌消毒装置２に設けられている吸引管路洗滌用ノズル３３とを自動的に装着状態にするとともに、送気送水接続口２３ａ内に設けられている送気管路（不図示）の開口部と送水管路（不図示）の開口部と、内視鏡洗滌消毒装置２に設けられている送気管路洗滌用ノズル３１と送水管路洗滌用ノズル３２とを自動的に装着状態にする。また、その装着状態を一度の動作で解除する。したがって、機構部３０は、洗滌槽５内に収容されたトレー１０の操作部収納部１２に対して所定の位置関係で設けられている。
【００４７】
尚、吸引管路２２ａ、送気管路（不図示）、及び送水管路（不図示）は、内視鏡２０の基部２１から挿入部２２の先端まで配設されており、挿入部２２の先端面で開口している内視鏡管路である。
【００４８】
機構部３０は、主に、吸引管路接続部４０ａと、送気送水管路接続部４０ｂと、ガイド部８１を構成する一対のレール部材８１ａ、８１ｂと、例えばラッチ型ソレノイド８０と、ノズル用ブロック８２と、ブラシユニット設置部８４と、で構成されている。
【００４９】
このノズル用ブロック８２は、吸引管路接続部４０ａ側の吸引管路ブロック８２ａと、送気送水管路接続部４０ｂ側の送気送水管路ブロック８２ｂとからなる中空の箱体である。また、ブラシユニット設置部８４は、ノズル用ブロック８２の吸引管路ブロック８２ａの吸引管路洗滌用ノズル３３と反対側となる基端側で連結される中空の箱体である。
【００５０】
レール部材８１ａ、８１ｂは装置本体３の所定位置に平行に配設されてガイド部８１を構成する。ノズル用ブロック８２は、レール部材８１ａ、８１ｂで構成されたガイド部８１の間に、摺動自在に配置される。ガイド部８１に配置されたノズル用ブロック８２は、ブラシユニット設置部８４と共に、洗滌槽筐体５ｂ側とその反対側とに移動自在である。
【００５１】
ノズル用ブロック８２にはレール部材８１ａ、８１ｂに当接する摺動面と、ソレノイドが取り付けられるソレノイド固定面と、管路洗滌用ノズル３１、３２、３３が固定される段部を備えたノズル固定面とを備えている。ソレノイド固定面にはラッチ型ソレノイド８０のソレノイド軸８０ａの先端部が一体的に固定されている。このノズル用ブロック８２の背面側には、図示しない複数の接続バネの一端が連結されている。また、これら接続バネの他端は、レール部材８１ａ、８１ｂのいずれか１方に連結されている。
【００５２】
ラッチ型ソレノイド８０に設けられている取付板８１ｂは装置本体３の所定位置に固定される。本実施形態においてラッチ型ソレノイド８０の固定位置は、内視鏡洗滌消毒装置２が洗滌消毒待機状態のとき、ソレノイド内部の磁力によってソレノイド軸８０ａをソレノイド内部に引き込んだ状態にして、ノズル用ブロック８２をラッチ型ソレノイド８０の近傍に配置させる位置である。
【００５３】
つまり、ノズル用ブロック８２がラッチ型ソレノイド８０の近傍に配置されている状態のとき、ソレノイド８０内部の磁力は、弾性変形した接続バネ（不図示）の付勢力に抗して、ノズル用ブロック８２をラッチ型ソレノイド８０近傍に保持可能に配置させる力量である。そして、ソレノイド内部の磁力が解除されると、ノズル用ブロック８２は接続バネ（不図示）の付勢力によって洗滌槽筐体５ｂ側に移動されるようになっている。
【００５４】
吸引管路接続部４０ａは、吸引管路洗滌用ノズル３３、吸引側緩衝バネ３９、流出側連通路である吸引用Ｌ字パイプ３８と、を備えて構成されている。一方、送気送水管路接続部４０ｂは、送気管路洗滌用ノズル３１、送水管路洗滌用ノズル３２、送気側緩衝バネ３４、送水側緩衝バネ３５、送気用Ｌ字パイプ３６、及び送水用Ｌ字パイプ３７を備えて構成されている。
【００５５】
管路洗滌用ノズル３１、３２、３３は、それぞれノズル用ブロック８２に一体的に固定されている。このとき、これら管路洗滌用ノズル３１、３２、３３の長手軸は例えば一平面内で互いに平行である。
【００５６】
吸引管路洗滌用ノズル３３は、ノズル用ブロック８２を構成する吸引管路ブロック８２ａの前進方向（洗滌槽筐体５ｂ側）の一面にあるノズル固定面側から所定量突設している。これに対して、送気管路洗滌用ノズル３１、及び送水管路洗滌用ノズル３２は、ノズル用ブロック８２を構成する送気送水管路ブロック８２ｂの前進方向（洗滌槽筐体５ｂ側）の一面にあるノズル固定面から所定量突設している。
【００５７】
これら管路洗滌用ノズル３１、３２、３３は、洗滌槽筐体５ｂに設けられている図示しない透孔内を挿通して、その先端部を洗滌槽５内に突出させている。なお、符号３３ａは洗滌用ノズル３３を覆う被覆部と蛇腹状部とを有する弾性部材で構成された水密保持部材であり、符号３４ａは管路洗滌用ノズル３１、３２をそれぞれ覆う被覆部と蛇腹状部とを有する弾性部材で構成された水密保持部材である。
【００５８】
ノズル用ブロック８２と洗滌槽筐体５ｂとの間に位置する管路洗滌用ノズル３１、３２、３３には、それぞれ送気側緩衝バネ３４、送水側緩衝バネ３５、及び吸引側緩衝バネ３９が介装されている。緩衝バネ３４、３５、３９は、各管路洗滌用ノズル３１、３２、３３が送気送水接続口２３ａ内に設けられている連結部材２５ｄの開口部、及び連結部材２５ｅの開口部と、吸引用接続口２４ａ内に設けられている連結部材２５ｆの開口部とに装着された際の衝撃を和らげる部材である。
【００５９】
一方、管路洗滌用ノズル３１、３２、３３の基端部には、Ｌ字パイプ３６、３７、３８が連結固定されている。これらＬ字パイプ３６、３７には、図示しない送気用チューブ、及び送水用チューブがそれぞれ背面側で連結される。これらの送気用チューブ、及び送水用チューブは、装置内部で、それぞれチャンネル管路６２に連通するように接続されている。
【００６０】
また、Ｌ字パイプ３８は、ブラシユニット設置部８４の先端部分まで延設されて、基端側の開口部分が内視鏡洗滌消毒装置２の上面で開口している。ブラシユニット設置部８４には、制御部２６によって駆動制御される駆動部であるモータ９２、及び流入側連通路である管路着脱パイプ９３が設けられている。尚、管路着脱パイプ９３の下端部には、チャンネル管路６２に接続された送液チューブ（図１０に示す符号６２ａ）が接続されている。
【００６１】
次に、図５〜図１３を用いて、ブラシユニット設置部８４に配置されるブラッシング手段を構成し、ブラッシングユニットである洗滌ブラシユニット８５について説明する。
【００６２】
図５、及び図６に示すように、洗滌ブラシユニット８５は、排出側接続パイプ８６と、ローラ収容部８７と、ベース体８８と、洗滌ブラシ収容部８９と、吸入側接続パイプ９０と、を有して構成される。
【００６３】
排出側接続パイプ８６は、略Ｌ字状をしており、ローラ収容部８７の前面略中央から下方に延設されている。この排出側接続パイプ８６は、開口部近傍の外周部にＯリング８６ａを有している。
【００６４】
ローラ収容部８７は、図７に示すように、排出側接続パイプ８６と連通する中空に形成された、図６に示すように上面部から見たときに略楕円形状をしており、内部に駆動ローラ８７ａと、図示しない受動ローラとが配設されている。駆動ローラ８７ａは、そのローラ軸８７ｂがローラ収容部８７の下面部で回動自在、且つ気密状態で回動支持されている。このローラ軸８７ｂの下端部には、所定の形状に切り欠き形成された係合部８７Ｂが設けられている。
【００６５】
また、ローラ収容部８７の内部空間の基端部分には、洗滌ブラシ２７のワイヤ２７ｂを上下方向に挟んで保持している棒状の２つのブラシガイド８７ｃがローラ収容部８７の幅方向に延設されている。
【００６６】
ベース体８８は、下面部に２つの突起部８８ａ（図７では、１つのみ図示）を有しており、ローラ収容部８７の内部空間に連通する連通路８８ｂが形成されている。
【００６７】
洗滌ブラシ収容部８９は、斜めに傾くようにベース体８８の上部に固着された中空の略円柱部材であり、この内部空間に洗滌ブラシ２７のワイヤ２７ｂが巻回された状態で収容されている。また、洗滌ブラシ収容部８９の内部空間は、ベース体８８の連通路８８ｂと連通している。
【００６８】
吸入側接続パイプ９０は、くの字状に折れ曲がって下方へ延出するように、洗滌ブラシ収容部８９の傾斜する基端面の略中央部に接続されている。この吸入側接続パイプ９０は、洗滌ブラシ収容部８９の内部空間に連通しており、その下方にある開口端近傍の外周部にＯリング９０ａを有している。
【００６９】
従って、以上のことから、洗滌ブラシユニット８５は、各接続パイプ８６，９０が開口部となり、排出側接続パイプ８６、ローラ収容部８７の内部空間、ベース体８８の連通路８８ｂ、洗滌ブラシ収容部８９の内部空間、及び吸入側接続パイプ９０が連通している。
【００７０】
また、洗滌ブラシ収容部８９内の洗滌ブラシ２７は、ベース体８８の連通路８８ｂを通って、ローラ収容部８７内の駆動ローラ８７ａと受動ローラの対向する各ローラ面に押圧された状態で、排出側接続パイプ８６から延出するように、洗滌ブラシユニット８５に設けられている。
【００７１】
以上のように構成された洗滌ブラシユニット８５は、内視鏡洗滌消毒装置２の縁部に露出された機構部３０のブラシユニット設置部８４に載置される。  
詳述すると、先ず、図８、及び図９に示すように、内視鏡洗滌消毒装置２の各管路洗滌用ノズル３１，３２，３３近傍の縁部には、略矩形状のスライド孔部９１が形成されている。このスライド孔部９１の長手方向に沿った両端中央部分には、略半円状に切り欠かれた、係合凹部９１ａ，９１ｂが形成されている。このスライド孔部９１からは、機構部３０のブラシユニット設置部８４のユニット設置面８４ａが露出している。
【００７２】
ブラシユニット設置部８４のユニット設置面８４ａは、内視鏡洗滌消毒装置２の縁部表面と面位置が略同じように露出され、先端側にＬ字パイプ３８の開口部と、基端側に管路着脱パイプ９３の開口部とが配設されている。これらパイプ３８，９３の各開口部の周囲には、略半円状の係合凸部３８ａ，９３ａが配設されている。また、このユニット設置面８４ａには、モータ９２のモータ軸９２ｂに連結されているローラ軸コネクタ部９２ａと、２つの係合穴部８４ｂと、を有している。ローラ軸コネクタ部９２ａは、ユニット設置面８４ａに対して回動自在であり、このローラ軸コネクタ部９２ａとユニット設置面８４ａとの気密が保持されるように図示しないシール部材が設けられている。
【００７３】
尚、このユニット設置面８４ａは、その長手軸方向の長さが機構部３０により各管路洗滌用ノズル３１，３２，３３を内視鏡２０の接続口２３ａ，２４ａ（図５参照）へ着脱する際に、スライド移動を阻害しないように、スライド孔部９１の長手軸方向の長さよりも、短く設定されている。
【００７４】
上述した洗滌ブラシユニット８５は、このユニット設置面８４ａに載置される際、図９に示すように、排出側接続パイプ８６がＬ字パイプ３８へ、吸入側接続パイプ９０が管路着脱パイプ９３へ、夫々挿入されると共に、駆動ローラ８７ａのローラ軸８７ｂがモータ９２のローラ軸コネクタ部９２ａへ、２つの突起部８８ａが対応する係合穴部８４ｂへ夫々係入される。尚、各接続パイプ８６，９０は、各パイプ３８，９３と夫々のＯリング８６ａ，９０ａにより気密に接続される。このように、機構部３０は、その上面に洗滌ブラシユニット８５を着脱自在に位置決め装着するための設置機構を有している。
【００７５】
以上に説明した構成により、ユーザは、図１０に示すような状態で、洗滌ブラシユニット８５を内視鏡洗滌消毒装置２の縁部に配されるユニット設置面８４ａに容易に着脱できる構成となっている。
【００７６】
また、駆動ローラ８７ａのローラ軸８７ｂは、ローラ軸コネクタ部９２ａに形成された接合穴９２ｃに挿入される。この接合穴９２ｃは、ローラ軸８７ｂの端部に形成された切り欠きと係合できるような穴形状をしている。そのため、モータ９２の回動力は、ローラ軸コネクタ部９２ａを介して、確実にローラ軸８７ｂに伝達され、駆動ローラ８７ａが回動される。
【００７７】
以上のように構成された、本実施の形態の内視鏡洗滌消毒装置２は、図１１に示すように、使用済みの内視鏡２０が収納凹部１１を構成する操作部収納部１２、及び挿入部収納部１３に載置されたトレー１０が洗滌槽５に設置され、トップカバー４が閉じられる。
【００７８】
また、内視鏡洗滌消毒装置２の縁部には、洗滌ブラシユニット８５が設置され、ブラシユニットカバー８３が閉じられる。その後、ユーザにより、操作パネル８にあるスタートスイッチが押されると、内視鏡洗滌消毒装置２は、規定のプログラムに応じて、洗滌工程、濯ぎ工程、消毒工程、そして再度濯ぎ工程を順次実行し、最後にアルコールフラッシュにより脱水工程を行い内視鏡２０を洗滌消毒する一連の動作を行う。
【００７９】
詳述すると、スタートスイッチが押されると、先ず、内視鏡洗滌消毒装置２は、各管路洗滌用ノズル３１、３２、３３を送気送水接続口２３ａ内に設けられている連結部材２５ｄの開口部、及び連結部材２５ｅの開口部と、吸引用接続口２４ａ内に設けられている連結部材２５ｆの開口部とに装着するために、機構部３０をソレノイド８０によって前進移動する。
【００８０】
また、ユニット設置面８４ａに載置された洗滌ブラシユニット８５も一緒に前進移動する。このとき、図１２に示すように、ユニット設置面８４ａの係合凸部３８ａがスライド孔部９１の係合凹部９１ａに係合した状態となる。
【００８１】
そして、内視鏡洗滌消毒装置２は、内視鏡２０の洗滌工程を実施する。この洗滌工程の際に、装置内を循環する洗滌液は、図３に示した循環ポンプ５８の駆動により、循環管路５７の給水口１６ｃによりトレー１０の収納凹部１１を流れ、内視鏡２０の外表面を洗滌する。また、洗滌液は、循環管路５７からチャンネル管路６２を介して、機構部３０へ送られ、各管路洗滌用ノズル３１、３２、３３から内視鏡２０の各種内視鏡管路に送液されて、これら内視鏡管路を洗滌する。
【００８２】
尚、チャンネル管路６２から送液チューブ６２ａに送られた洗滌液は、図９に示した管路着脱パイプ９３から洗滌ブラシユニット８５内に送液される。そして、この洗滌液は、吸入側接続パイプ９０、洗滌ブラシ収容部８９の内部空間、ベース体８８の連通路８８ｂ、ローラ収容部８７の内部空間、及び排出側接続パイプ８６を通って、Ｌ字パイプ３８に送液され、内視鏡２０の吸引管路２２ａに流れる。
【００８３】
このとき、制御部２６の制御下において、モータ９２が駆動され、駆動ローラ８７ａが回動される。つまり、モータ９２からの回動力が伝達された駆動ローラ８７ａは、制御部２６によって回動方向が制御され、受動ローラ（不図示）と夫々のローラ面で押圧しながら挟んでいる洗滌ブラシ２７のワイヤ２７ｂを前後に反復して送出入する。
【００８４】
洗滌ブラシ２７は、吸引管路洗滌用ノズル３３から内視鏡２０の吸引管路２２ａ内を前進、或いは後退を繰り返し、ブラシ部２７ａにより、吸引管路２２ａをブラッシング洗滌する。また、洗滌液は、洗滌工程の際、常に、循環ポンプ５８が駆動され、内視鏡２０の吸引管路２２ａに送液される。
【００８５】
また、洗滌工程が終了し、次の濯ぎ工程を実行するとき、制御部２６は、洗滌ブラシユニット８５の排出側接続パイプ８６内に洗滌ブラシ２７のブラシ部２７ａが収容された初期位置に戻った状態でモータ９２の駆動を停止する。
【００８６】
こうして、本実施の形態の内視鏡洗滌消毒装置２は、内視鏡２０の外表面、並びに吸引管路２２ａを洗滌し、その後、各種工程を実行して、内視鏡２０を洗滌消毒する。
【００８７】
この内視鏡２０を洗滌消毒する一連の各種工程が終了したとき、ユーザは、内視鏡２０をトレー１０ごと洗滌槽５から取り出して、内視鏡２０の洗滌消毒を終了する。また、ユーザは、洗滌ブラシユニット８５を交換するときに、洗滌ブラシユニット８５をユニット設置面８４ａから引き抜くだけで容易に脱離することができる。尚、洗滌ブラシユニット８５は、リユースとしても、ディスポーザブルとしても良い。
【００８８】
本実施の形態の内視鏡洗滌消毒装置２は、装置本体３内の管路網である、上述した洗滌手段である洗滌ユニットにおいて、医療機器である内視鏡２０の外表面を洗滌消毒する各構成要素が第１の洗滌消毒手段である第１の洗滌消毒ユニットを構成し、内視鏡２０の吸引管路２２ａ、送気管路（不図示）、及び送水管路（不図示）を洗滌消毒する各構成要素が第２の洗滌消毒手段である第２の洗滌消毒ユニットを構成している。
【００８９】
詳しくは、第１の洗滌消毒ユニットは、内視鏡２０の外表面に洗滌液、或いは消毒液を循環させるための装置本体３内の各構成要素である排水口１７ｃ、循環管路５７、３方切替弁５６，５９，６０，７６、逆支弁７７、及び給水口１６ｃにより構成された流路網のことである。その一方で、第２の洗滌消毒ユニットとは、内視鏡２０の吸引管路２２ａなどからなる内視鏡管路に洗滌液、或いは消毒液を循環させるための装置本体３内の各構成要素である排水口１７ｃ、循環管路５７、３方切替弁５６，５９，６０，７６、逆支弁７７、チャンネル管路６２、及び後述する洗滌ノズル着脱機構部３０を含めた流路網のことである。
【００９０】
さらに、内視鏡洗滌消毒装置２は、３方切替弁４４に接続された上述の第１の洗滌消毒ユニットに対応する一部である循環管路５７と、この管路上に設けられた各構成要素を含むと共に、さらに濯ぎ水を内視鏡２０の外表面に流通させる経路、詳しくは水道栓からの濯ぎ水を給水口１６ｃまで送水するための、各構成要素である、水フィルタ４１、給水管路４２、逆支弁４３、及び３方切替弁４４によって、第１の液流通手段が構成されている。
【００９１】
その一方で、内視鏡洗滌消毒装置２は、３方切替弁４４に接続された上述の第２の洗滌消毒ユニットに対応する一部でもある循環管路５７と、この管路上に設けられた各構成要素を含むと共に、さらに濯ぎ水を内視鏡２０の吸引管路２２ａなどからなる内視鏡管路に流通させる経路、詳しくは水道栓からの濯ぎ水を洗滌ノズル着脱機構部３０まで送水するための、各構成要素である、水フィルタ４１、給水管路４２、逆支弁４３、及び３方切替弁４４から循環管路５７を介して、３方切替弁６０に連通されたチャンネル管路６２によって、第２の液流通手段が構成されている。尚、装置本体３内に配設される内視鏡２０の吸引管路２２ａなどからなる内視鏡管路に流通させる流路を構成する上記管路網は、液流手段も構成している。
【００９２】
また、内視鏡洗滌消毒装置２は、洗滌剤ボトル４８に貯留した洗滌剤、或いは薬液ボトル４９に貯留した消毒液を希釈するための攪拌槽５２、及びこの攪拌槽５２に何れかのボトル４８，４９を介して、希釈水を水道栓から供給するための管路網、詳しくは、水フィルタ４１、給水管路４２、逆支弁４３、及び３方切替弁４４から連通する管路４６，４７，５０，５１によって、希釈手段が構成されている。尚、水道栓の希釈水を含めて、水供給手段を構成している。
【００９３】
以上説明したように、本実施の形態の内視鏡洗滌消毒システム１は、内視鏡洗滌消毒装置２へ内視鏡２０の吸引管路２２ａを充分に洗滌するための長尺な洗滌ブラシ２７が収容された洗滌ブラシユニット８５を容易に着脱可能となる。また、内視鏡洗滌消毒装置２は、長尺な洗滌ブラシ２７を自動で内視鏡２０の吸引管路２２ａ内を前後に反復させて、洗滌することができる。さらに、ユーザは、使用後の洗滌ブラシ２７を廃棄する場合、洗滌ブラシユニット８５内に長尺な洗滌ブラシ２７が収容されているため、洗滌ブラシユニット８５ごと医療廃棄物として洗滌ブラシユニット８５を容易に廃棄処分することができる。
【００９４】
以上の結果、本実施の形態の内視鏡洗滌消毒装置２を含む内視鏡洗滌消毒システム１は、使用済みの内視鏡の特に内視鏡管路を衛生的、且つ効率的に確実な洗滌消毒が行えると共に、それに伴うユーザへの煩雑な作業を低減することができる。
【００９５】
（第２の実施の形態）
次に、本発明の第２の実施の形態について説明する。尚、本実施の形態の説明において、上述の第１の実施の形態と同じ構成については、同じ符号を用いて、それら構成の詳細な説明を省略するものとする。
【００９６】
図１４〜図２１は、第２の実施の形態に係り、図１４は洗滌ブラシユニットを示す斜視図、図１５は洗滌ブラシユニットの上面図、図１６は洗滌ノズル着脱機構部に設置された洗滌ブラシユニットの断面図、図１７は洗滌ブラシユニット内を示し、洗滌液貯留部、消毒液貯留部、及び洗滌ノズル着脱機構部の針部が設けられた各ソレノイドを説明するための断面図、図１８、及び図１９は洗滌ブラシユニットによる洗滌剤、或いは消毒液を流出させる作用を説明するための断面図、図２０、及び図２１は内視鏡洗滌消毒装置の概略的な管路構成を示す図である。
【００９７】
図１４、及び図１５に示すように、本実施の形態の洗滌ブラシユニット８５は、ローラ収容部８７の後方であって、洗滌ブラシ収容部８９を挟むように両側部に洗滌液、或いは消毒液が貯留されているタンク９４（ａ，ｂ）を有している。
【００９８】
これらタンク９４（ａ，ｂ）は、本実施の形態において、例えば、洗滌ブラシ２７の送り出し方向に向かって、左側（図１５では下方）が洗滌剤タンク９４ａ、及び右側（図１５では上方）が薬液タンク９４ｂとなっている。
【００９９】
洗滌剤タンク９４ａは、中空の箱体からなり、内部に洗滌剤が貯留されている第１の貯留部９５ａを有している。一方、薬液タンク９４ｂも、中空の箱体からなり、内部に消毒液が貯留されている第２の貯留部９５ｂを有している。これらの貯留部９５（ａ，ｂ）の夫々の底面には、図１６、及び図１７に示すように、例えばポリエステルなどからなる薄膜９９（ａ，ｂ）が配設されている
洗滌ブラシユニット８５の底面部の一部を構成する各タンク９４（ａ，ｂ）の底面には、各薄膜９９（ａ，ｂ）の鉛直下の上面部に針状の突き破り手段（部）である突起部材９８が配設された弾性部材からなる壁体を構成する２つの板体９７が設けられている。また、洗滌ブラシユニット８５の底面部と各貯留部９５（ａ，ｂ）との間には、ローラ収容部８７の内部空間と連通する空間となる連通路であって、洗滌剤、及び消毒液の原液を排出するポートを構成する流出路９５ｃが形成されている。
【０１００】
以上に説明したように構成された洗滌ブラシユニット８５は、第１の実施の形態と同様にして、図１６に示すように、ブラシユニット設置部８４のユニット設置面８４ａに載置される。このブラシユニット設置部８４は、洗滌ブラシユニット８５の２つの板体９７が夫々位置するユニット設置面８４ａに２つの孔部８４ｃを有している。
【０１０１】
これら孔部８４ｃの夫々には、シリンダ９６ａが挿入されている。各シリンダ９６ａに連結するソレノイド軸９６ｂを備えた駆動源であるソレノイド９６がブラシユニット設置部８４内に設けられている。このソレノイド９６は、制御部２６により駆動制御される。
【０１０２】
以上のように構成された本実施の形態の内視鏡洗滌消毒装置２は、洗滌工程、或いは消毒工程がスタートするとき、図１６の状態から図１８に示すように、制御部２６の制御下で洗滌剤貯留部９５ａ、或いは消毒液貯留部９５ｂに対応したソレノイド９６の一方を駆動し、シリンダ９６ａによって洗滌ブラシユニット８５の板体９７を押し上げる。このとき、板体９７は、その弾性変形により、上面部の突起部材９８と共に、押し上げられ、突起部材９８が洗滌剤貯留部９５ａ、或いは消毒液貯留部９５ｂの薄膜９９を突き破る。
【０１０３】
すなわち、内視鏡洗滌消毒装置２の制御部２６は、洗滌工程のスタート時に洗滌剤貯留部９５ａの薄膜９９を突起部材９８により、消毒工程のスタート時に消毒液貯留部９５ｂの薄膜９９を突起部材９８により夫々突き破るように、各貯留部９５に対応したソレノイド９６に制御信号を出力して駆動制御する。そして、制御部２６は、制御信号を出力して駆動したソレノイド９６を初期位置に戻す。
【０１０４】
こうして、図１９に示すように、各貯留部９５に貯留されている洗滌剤、或いは消毒液は、突き破られた薄膜９９から流出路９５ｃに流れる。このときに、制御部２６は、循環ポンプ５８を駆動して、水道水を洗滌ブラシユニット８５内に供給することで、洗滌剤、或いは消毒液が希釈されて、洗滌液、或いは消毒液となって、ローラ収容部８７の内部空間、排出側接続パイプ８６、Ｌ字パイプ３８、及び吸引管路洗滌用ノズル３３に接続された内視鏡２０の吸引管路２２ａを介して、洗滌槽５に流れる。
【０１０５】
その後、洗滌液、或いは消毒液は、装置内の各種管路を循環することで、所定の濃度の溶液に攪拌される。尚、第１の実施の形態に述べたように、洗滌工程のときには、洗滌ブラシ２７により、内視鏡２０の吸引管路２２ａがブラッシング洗滌される。
【０１０６】
こうして、本実施の形態の内視鏡洗滌消毒装置２は、洗滌ブラシユニット８５に洗滌剤、及び消毒液を貯留されている各貯留部９５を備えたタンク９４を設けることで、洗滌剤ボトル４８、及び薬液ボトル４９を装置にセットする手間を省くことができる。
【０１０７】
また、洗滌ブラシユニット８５は、例えば、洗滌剤タンク９４ａのみを有していても良い。これにより、図２０に示すように、内視鏡洗滌消毒装置２には、図３に示した洗滌剤ボトル４８、管路４６、及び３方切替弁４５を設ける必要が無くなる。
【０１０８】
さらに、上述したように、洗滌ブラシユニット８５は、洗滌剤タンク９４ａ、及び薬液タンク９４ｂの両方を備えることで、図２１に示すように、内視鏡洗滌消毒装置２の管路構成を簡素化することができる。具体的には、内視鏡洗滌消毒装置２には、図３に示した第１の実施の形態での３つの３方切替弁４４，４５，５６、２つの逆支弁５４，５５、５つの管路４６，４７，５０，５１，５３、２つのボトル４８，４９、及び攪拌槽５２を設ける必要が無くなる。
【０１０９】
以上に説明したように、洗滌ブラシユニット８５の各貯留部９５（ａ，ｂ）に配設された薄膜９９（ａ，ｂ）を制御部２６の制御下でソレノイド９６の駆動により、突起部材９８が突き破ることで、装置本体３内の流路に自動的に各貯留部９５（ａ，ｂ）からの洗滌剤、或いは消毒液を流出させるための流出機構が構成される。
【０１１０】
以上の結果、本実施の形態の内視鏡洗滌消毒装置２は、第１の実施の形態の効果をそうすると共に、複雑な管路構成をより簡素化できるばかりでなく、装置内のスペースを小さくすることができるため、より小型化を実現することができる。
【０１１１】
以上の各実施の形態に記載した発明は、夫々の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【０１１２】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【０１１３】
尚、本発明には、以下の付記項に記載する特徴を備えている。
【０１１４】
（付記項１）
医療器具が載置される載置体と、
該載置体を配置する洗滌槽を提供する槽体と、
前記載置体に載置され、且つ前記洗滌槽に配置された前記医療器具の少なくとも前記管路を洗滌する洗滌手段と、
前記槽体に着脱自在に配置され、且つ前記洗滌手段による前記管路の洗滌時に該管路をブラッシングするブラシを備えたブラッシング手段と、
を備えたことを特徴とする管路を有する医療器具を洗滌消毒する装置。
【０１１５】
（付記項２）
前記医療器具は、前記管路を有し、且つ被検体内に挿入される挿入部を有する内視鏡であることを特徴とする付記項１に記載の管路を有する医療器具を洗滌消毒する装置。
【０１１６】
（付記項３）
前記洗滌手段は、前記医療器具の外表面を洗滌、及び消毒する第１の洗滌消毒手段と、前記医療器具の前記管路の内部を洗滌及び消毒する第２の洗滌消毒手段と、を備え、
前記ブラシは、前記第２の洗滌消毒手段が前記管路の内部を洗滌するときに当該管路の内部に沿って進退させるように構成されていることを特徴とする付記項１に記載の管路を有する医療器具を洗滌消毒する装置。
【０１１７】
（付記項４）
前記載置体は、前記医療器具を所定形状のまま載置させる溝状の流路を有し、
前記第１の洗滌消毒手段は、前記流路に沿って前記医療器具を載置した状態で当該溝部に洗滌液、消毒液、及びすすぎ用の水を流通させる第１の液流通手段を有することを特徴とする付記項３に記載の管路を有する医療器具を洗滌消毒する装置。
【０１１８】
（付記項５）
前記第２の洗滌消毒手段は、
前記医療器具の前記管路の開口にノズルを着脱自在に結合させるノズル結合器と、
前記ノズルを介して前記管路に少なくとも洗滌液、消毒液、及びすすぎ用の水を流
通させる第２の液流通手段と、を備え、
更に、
前記ブラシを前記管路に沿って進退駆動させる駆動部と、
前記第２の液流通手段により前記管路に前記洗滌液を流通させるときに、前記ノズルを介して前記ブラシを前記管路に挿入させると共に、その管路に挿入された当該ブラシを当該管路の全長に亘って進退移動させるように前記駆動部を制御する制御部と、
を備えることを特徴とする付記項４に記載の管路を有する医療器具を洗滌消毒する装置。
【０１１９】
（付記項６）
前記医療器具の管路は、複数の管路を有し、
前記ノズルは、前記複数の管路の開口それぞれに個別に着脱自在に結合させる複数のノズルを有し、
前記ブラッシング手段は、前記ブラシを、前記複数の管路のうちの特定の管路に
挿入可能に構成されていることを特徴とする付記項５に記載の管路を有する医療器具を洗滌消毒する装置。
【０１２０】
（付記項７）
前記医療器具は内視鏡であり、
前記複数の管路は送気用管路、送水用管路、及び吸引用管路を含み、
前記特定の管路は前記吸引用管路であることを特徴とする付記項６に記載の管路を有する医療器具を洗滌消毒する装置。
【０１２１】
（付記項８）
前記槽体は、前記第１、及び前記第２の液流通手段に少なくとも前記洗滌液、前記消毒液、及び前記すすぎ用の水をそれぞれ供給可能な液供給源を備えていることを特徴とする付記項５に記載の管路を有する医療器具を洗滌消毒する装置。
【０１２２】
（付記項９）
前記液供給源は、
前記洗滌液、及び前記消毒液を原液の状態で貯留するタンクと、
該タンクの原液を水で希釈した希釈液を前記第１、及び第２の液流通手段に供給する希釈手段と、
を備えることを特徴とする付記項８に記載の管路を有する医療器具を洗滌消毒する装置。
【０１２３】
（付記項１０）
前記ブラッシング手段は、
当該ブラッシング手段を前記ノズル結合器に着脱自在に装着する機構と、
前記希釈液を流入させる流入口と当該希釈液を流出させる流出口とを連通する流路と、
を備え、
前記流出口は、前記ノズル結合器の前記ノズルに流出側連通路を介して接続されていることを特徴とする付記項９に記載の管路を有する医療器具を洗滌消毒する装置。
【０１２４】
（付記項１１）
前記ブラッシング手段は、
前記流路内に巻き戻し可能に巻き回されて配置され且つ先端に前記ブラシを装着したワイヤと、
前記流路内に配置され、且つ前記駆動部からの駆動力に応じて前記ワイヤを当該ワイヤの延伸方向に進退移動するローラと、を備えることを特徴とする付記項１０に記載の管路を有する医療器具を洗滌消毒する装置。
【０１２５】
（付記項１２）
前記ブラッシング手段は、当該ブラッシング手段を前記ノズル結合器に取り付けたときに、前記駆動源の駆動力を伝える駆動軸が前記ローラを付勢するように当該ローラの回転軸に自動的に位置決めされて当該回転軸に結合され、前記流入口が前記希釈手段に連通する流入側連通路に自動的に位置決めされて、当該流入側連通路に結合され、前記流出口が前記流出側連通路に自動的に位置決めされて当該流出側連通路に結合されることを特徴とする付記項１１に記載の管路を有する医療器具を洗滌消毒する装置。
【０１２６】
（付記項１３）
前記洗滌手段は、前記医療器具の前部管路の内部を洗滌及び消毒する内部洗浄消毒手段を備え、
前記ブラシは、前記内部洗滌消毒手段が前記管路の内部を洗滌するときに当該管路の内部に沿って進退させるように構成されていることを特徴とする付記項１に記載の管路を有する医療器具を洗滌消毒する装置。
【０１２７】
（付記項１４）
前記内部洗滌消毒手段は、
前記医療器具の前記管路の開口にノズルを着脱自在に結合させるノズル結合器と、
前記ノズルを介して前記管路に少なくとも洗滌液、消毒液、及びすすぎ用の水を流通させる液流通手段と、
を備え、
更に、
前記ブラシを前記管路に沿って進退駆動させる駆動部と、
前記被流通手段により前記管路に前記洗滌液を流通させるときに、前記ノズルを介して前記ブラシを前配管路に挿入させるともに、その管路に挿入された当該ブラシを当該管路の全長に亘って進退移動させるように前記駆動部を制御する制御部と、
を備えることを特徴とする付記項１３に記載の管路を有する医療器具を洗滌消毒する装置。
【０１２８】
（付記項１５）
前記ブラッシング手段は、
前記水を流入させる流入口と当該水を前記ノズルに流出させる流出口とを連通する流路と、
前記洗滌液及び前記消毒液の少なくとも一方を貯留したタンクと、
当該ブラッシング手段が前記ノズル結合器に装着されたときに前記タンク内の前記液を当該タンクから前記流路に自動的に流出させる流出させる機構と、
前記突き破り手段により突き破られた前記タンクから流出する前記液を前記流路に
導く連通路と、
を備えることを特徴とする付記項５に記載の管路を有する医療器具を洗滌消毒する装置。
【０１２９】
（付記項１６）
前記流出させる機構は、
前記ノズル結合器に取り付けられ、且つ制御信号に応答して前記タンクを突き破る突
き破り手段と、
前記制御信号を与える制御手段と、
を備えることを特徴とする付記項１５に記載の管路を有する医療器具を洗滌消毒する装置。
【０１３０】
（付記項１７）
前記タンクは、前記洗滌液と前記消毒液との両方を個別に貯留する２つのタンクを備え、
前記突き破り手段は、前記２つのタンクに対応して個別に設置されていることを特徴とする付記項１６に記載の管路を有する医療器具を洗滌消毒する装置。
【０１３１】
（付記項１８）
前記タンクは薄膜で形成された部分を一部に有し、
前記突き破り手段は、突起体と、前記制御信号に応答して当該突起体を前記タンクの薄膜部分に向けて移動させる駆動源と、
を備えることを特徴とする付記項１６に記載の管路を有する医療器具を洗滌消毒する装置。
【０１３２】
（付記項１９）
前記タンクに貯留した前記洗滌液、及び前記消毒液の少なくとも一方は原液であって、
前記流路を介して水を供給させて前記タンクから流出させる前記原液を希釈する水供給手段を備えることを特徴とする付記項１６に記載の管路を有する医療器具を洗滌消毒する装置。
【０１３３】
（付記項２０）
管路を有する医療器具を洗滌消毒するブラッシング装置であって、当該装置の前記管路への進入路を提供する着脱部に着脱自在に装着可能な着脱部と、
前記進入路に連通する流路と、
この流路内に置かれ、且つ前記管路の洗滌時に前記進入路から当該管路に進んで当該管路をブラッシングするブラシを備えた着脱式のブラッシング手段と、
を備えたブラッシング装置。
【０１３４】
（付記項２１）
前記管路の洗滌及び消毒に必要な洗滌液、及び消毒液の少なくとも一方を貯留したタンクと、
このタンクに貯留した液体を前記流路に導く連通路と、
を備えることを特徴とする付記項２０に記載の管路を有するブラッシング装置。
【０１３５】
（付記項２２）
前記ブラッシング手段は、前記ブラシを先端に備え、且つ当該ブラシを駆動力に応じて前記進入路を介して前記管路との間で往復動させる巻取り式のワイヤを備えることを特徴とする付記項２１に記載の管路を有するブラッシング装置。
【０１３６】
（付記項２３）
当該ブラッシング装置の着脱部を前記装置の着脱部に装着したときに前記タンク内の前記液を当該タンクから前記連通路に自動的に流出させる流出させる機構を備えることを特徴とする付記項２１に記載の管路を有するブラッシング装置。
【０１３７】
（付記項２４）
前記流出させる機構は、
前記装置に取り付けられ、且つ制御信号に応答して前記タンクを突き破る突き破り部と、
前記制御信号を与える制御手段と、
を備えることを特徴とする付記項２３に記載の管路を有するブラッシング装置。
【０１３８】
（付記項２５）
前記タンクは、前記洗滌液と前記消毒液との両方を個別に貯留する２つのタンクを備え、
前記突き破り部は、前記２つのタンクに対応じて個別に設置されていることを特徴とする付記項２４に記載の管路を有するブラッシング装置。
【０１３９】
（付記項２６）
前記タンクは薄膜で形成された部分を一部に有し、
前記突き破り部は、前記タンクの薄膜部分に対峙して設けられ、且つ、前記制御信号に応答して当該突起体を前記タンクの薄膜部分に向けて移動させる駆動源に付勢される突起体、
を備えることを特徴とする付記項２０に記載の管路を有するブラッシング装置。
【０１４０】
（付記項２７）
前記連通路を内部に水密に画成するとともに、前記タンクの薄膜部分に対向し、且つ前記駆動源を背後にした位置に形成した弾性部分を有する壁体を備え、
前記突起体を前記弾性部分の内側の前記連通路内に突設させたことを特徴とする付記項２６に記載の管路を有するブラッシング装置。
【０１４１】
（付記項２８）
前記タンクに貯留した前記洗滌液、及び前記消毒液の少なくとも一方は原液であり、前記流路に水の供給を受けて前記タンクから流出させる前記原液を希釈するためのポートを当該流路に設けたことを特徴とする付記項２４に記載の管路を有するブラッシング装置。
【０１４２】
（付記項２９）
内視鏡の内視鏡管路を洗滌ブラシにより洗滌する内視鏡洗滌消毒装置において、
上記内視鏡が配置される洗滌槽を備えた装置本体と、
該装置本体へ着脱自在に配設でき、上記洗滌ブラシが収容された洗滌ブラシユニットと、
を備えたことを特徴とする内視鏡洗滌消毒装置。
【０１４３】
（付記項３０）
上記洗滌ブラシユニットは、上記内視鏡を洗滌する洗滌剤を貯留する第１の貯留部を備えていることを特徴とする付記項２９に記載の内視鏡洗滌消毒装置。
【０１４４】
（付記項３１）
上記洗滌ブラシユニットは、上記内視鏡を消毒する消毒液を貯留する第２の貯留部を備えていることを特徴とする付記項２９、又は付記項３０に記載の内視鏡洗滌消毒装置。
【図面の簡単な説明】
【０１４５】
【図１】本発明の第１の実施の形態に係る、一部上面図を含むトップカバーが開いた状態の内視鏡洗滌消毒装置を含む内視鏡洗滌消毒システムの構成を説明する斜視図。
【図２】同、内視鏡が洗滌槽内に収容されてトップカバーが閉じた状態の内視鏡洗滌消毒装置を説明する斜視図。
【図３】同、内視鏡洗滌消毒装置の概略的な管路構成を示す図。
【図４】同、洗滌ノズル着脱機構部の構成を示す上面図。
【図５】同、洗滌ブラシユニットを示す斜視図。
【図６】同、洗滌ブラシユニットの上面図。
【図７】同、洗滌ブラシユニットの断面図。
【図８】同、洗滌ブラシユニットが洗滌ノズル着脱機構部に設置される前の状態を示す内視鏡洗滌消毒装置の部分的な上面図。
【図９】同、洗滌ブラシユニットが洗滌ノズル着脱機構部に設置される状態を説明する断面図。
【図１０】同、洗滌ブラシユニットが洗滌ノズル着脱機構部に設置された状態を示す内視鏡洗滌消毒装置の部分的な上面図。
【図１１】同、内視鏡が内視鏡洗滌消毒装置に設置された内視鏡洗滌消毒システムの上面図。
【図１２】同、洗滌ブラシユニットが設置された洗滌ノズル着脱機構部の動作を説明するための図。
【図１３】同、洗滌ブラシユニットが設置された洗滌ノズル着脱機構部の動作を説明するための図。
【図１４】本発明の第２の実施の形態に係る、洗滌ブラシユニットを示す斜視図。
【図１５】同、洗滌ブラシユニットの上面図。
【図１６】同、洗滌ノズル着脱機構部に設置された状態の洗滌ブラシユニットの断面図。
【図１７】同、洗滌ブラシユニット内を示し、洗滌液貯留部、消毒液貯留部、及び洗滌ノズル着脱機構部の針部が設けられた各ソレノイドを説明するための断面図。
【図１８】同、ユニット設置面された洗滌ブラシユニットの断面図。
【図１９】同、ユニット設置面された洗滌ブラシユニットの断面図。
【図２０】同、内視鏡洗滌消毒装置の概略的な管路構成を示す図。
【図２１】同、内視鏡洗滌消毒装置の概略的な管路構成を示す図。
【符号の説明】
【０１４６】
１    ・・・内視鏡洗滌消毒システム
２    ・・・内視鏡洗滌消毒装置
５    ・・・洗滌槽
１０  ・・・内視鏡保持トレー
１１  ・・・収納凹部
１２  ・・・操作部収納部
１３  ・・・挿入部収納部
２０  ・・・内視鏡
２２ａ・・・吸引管路
２６  ・・・制御部
２７ａ・・・ブラシ部
２７ｂ・・・ワイヤ
２７  ・・・洗滌ブラシ
３０  ・・・洗滌ノズル着脱機構部
３１  ・・・送気管路洗滌用ノズル
３２  ・・・送水管路洗滌用ノズル
３３  ・・・吸引管路洗滌用ノズル
８４  ・・・ブラシユニット設置部
８４ａ・・・ユニット設置面
８５  ・・・洗滌ブラシユニット
８９  ・・・洗滌ブラシ収容部
【図１】
2007152089.tif 000003
【図２】
2007152089.tif 000004
【図３】
2007152089.tif 000005
【図４】
2007152089.tif 000006
【図５】
2007152089.tif 000007
【図６】
2007152089.tif 000008
【図７】
2007152089.tif 000009
【図８】
2007152089.tif 000010
【図９】
2007152089.tif 000011
【図１０】
2007152089.tif 000012
【図１１】
2007152089.tif 000013
【図１２】
2007152089.tif 000014
【図１３】
2007152089.tif 000015
【図１４】
2007152089.tif 000016
【図１５】
2007152089.tif 000017
【図１６】
2007152089.tif 000018
【図１７】
2007152089.tif 000019
【図１８】
2007152089.tif 000020
【図１９】
2007152089.tif 000021
【図２０】
2007152089.tif 000022
【図２１】
2007152089.tif 000023